(57)【要約】【課題】使用者の径穴や神経を確実に刺激できてマッサージ効果が高く、構造が簡単で、組み立てや運搬が容易な回転運動器を提供すること。【解決手段】台座１０と、台座１０上に立設した支柱の上端に固定された座部２０と、主支持管３１、副支持棒３２及び補助枠３３を有する揺動装置３０とを備え、主支持管３１は、支柱から張り出す横管の先端に上方へ起立する縦管を形成して成り、且つ、支柱を中心として回動し、副支持棒３２は主支持管３１の縦管へ嵌合され、補助枠３３は副支持棒３２の上端に左右へ張り出すよう取り付けられ、補助枠３３に手を載せた状態で主支持管３１が回動することにより、座部２０へ腰掛けた使用者の上半身に捻りを加える。【選択図】　　図１
0003098514.tif 000002
【実用新案登録請求の範囲】
【請求項１】
台座と、該台座上に立設した支柱の上端に固定された座部と、揺動装置とを備え、前記揺動装置は、主支持管、副支持棒及び補助枠を有し、前記主支持管は、前記支柱から張り出す横管の先端に上方へ起立する縦管を形成して成り、且つ、前記支柱を中心として回動し、前記副支持棒は前記主支持管の縦管へ嵌合され、前記補助枠は略Ｃ字状に湾曲すると共に、前記副支持棒の上端に左右へ張り出すよう取り付けられ、前記補助枠に手を載せた状態で主支持管が回動することにより、使用者の上半身に捻りを加えることを特徴とした回転運動器。
【請求項２】
前記補助枠は、水平面に対する傾斜角度を調節可能である請求項１に記載の回転運動器。
【請求項３】
前記補助枠の両端部に略Ｌ字状の先端枠がそれぞれ嵌合され、該先端枠の基端部に長孔を周方向沿って形成すると共に、前記補助枠の両端部にネジ穴を形成し、前記長孔へ摺動自在に挿通したネジの先端部を前記ネジ穴へ螺合し、前記先端枠を前記長孔の許容する範囲内で回動可能とした請求項１又は２に記載の回転運動器。
【請求項４】
前記補助枠を、前記副支持棒の上端から垂直に起立する直立式補助枠へ交換可能である請求項１乃至３のいずれかに記載の回転運動器。
【請求項５】
前記台座の下面一端部に移動用のローラを装着した請求項１乃至４のいずれかに記載の回転運動器。
【考案の詳細な説明】
【０００１】
【考案の属する技術分野】
本考案は、腰部の捻り運動を行うのに好適な回転運動器に関する。
【０００２】
【従来の技術】
従来、椅子の内部にマッサージ部材を組み込み、このマッサージ部材を振動させたり、移動させてマッサージを行うマッサージ椅子が知られている。しかし、このようなマッサージ椅子は、たんに使用者の背面の筋肉を刺激するだけであって、経穴に対して有効な刺激を与えることができない。
これは、人体の経脈・神経をコントロールする中枢が、全て背部の脊椎上に集中しており、従来のマッサージ椅子の押圧や振動といった機能だけでは、人体に有効な運動を行わせることができず、確実に経穴や神経を刺激できないことによる。
【０００３】
【考案が解決しようとする課題】
本考案の目的は、使用者の経穴や神経を確実に刺激できてマッサージ効果が高く、構造が簡単で、組み立てや運搬が容易な回転運動器を提供することにある。
【０００４】
【課題を解決するための手段】
本考案の回転運動器は、台座と、該台座上に立設した支柱の上端に固定された座部と、揺動装置とを備え、前記揺動装置は、主支持管、副支持棒及び補助枠を有し、前記主支持管は、前記支柱から張り出す横管の先端に上方へ起立する縦管を形成して成り、且つ、前記支柱を中心として回動し、前記副支持棒は前記主支持管の縦管へ嵌合され、前記補助枠は、略Ｃ字状に湾曲すると共に、前記副支持棒の上端に左右へ張り出すよう取り付けられ、前記補助枠に手を載せた状態で主支持管が回動することにより、使用者の上半身に捻りを加える。
【０００５】
前記補助枠は、水平面に対する傾斜角度を調節可能としても良い。
前記補助枠の両端部に略Ｌ字状の先端枠がそれぞれ嵌合され、該先端枠の基端部に長孔を周方向沿って形成すると共に、前記補助枠の両端部にネジ穴を形成し、前記長孔へ摺動自在に挿通したネジの先端部を前記ネジ穴へ螺合し、前記先端枠を前記長孔の許容する範囲内で回動可能とすることもある。
立った状態でも回動運動を行う際に便利なように、補助枠を、前記副支持棒の上端から垂直に起立する直立式補助枠へ交換可能とするのが望ましい。
前記台座の下面一端部に移動用のローラを装着すると良い。
【０００６】
【考案の実施の形態】
本考案の回転運動器は、図１及び図２に示すように、台座１０と、台座１０の上方に設置された座部２０と、揺動装置３０とを備える。
台座１０は、回転運動器を使用する際には床等の基盤上に水平に設置されるようになっており、その上面の適所に支柱１１が立設される。そして、支柱１１の上端に座部２０が固定されている。
また、台座１０の下面一端部には左右一対のローラ１２が回動自在に装着される。このローラ１２は、台座１０を水平に設置した場合にはいかなる作用もおよぼさないが、回転運動器をローラ１２側へ若干傾けると基盤へ接地し、容易に回転運動器を移動できるようになっている。
【０００７】
揺動装置３０は、主支持管３１、副支持棒３２、補助枠３３及び軸受体３４から成る。
主支持管３１は、略Ｌ字状に湾曲しており、その横管の先端に縦方向に延びる第１接続管３１１が取り付けられ、縦管の上端に固定ネジを有する第２接続管３１２が設けられる。
第１接続管３１１は、軸受体３４を介して支柱１１の外周に回動自在に嵌合され、締め込むことによって第１接続管３１１の回動を規制する固定ネジ３６が、第１接続管３１１の外周面から内周面に向けて螺合されている。また、第２接続管３１２を通して、主支持管３１の縦管内に副支持棒３２が摺動・固定可能に嵌合されている。
【０００８】
補助枠３３は、平面視略Ｃ字状に湾曲しており、副支持棒３２の上端に左右へ張り出すよう取り付けられる。従って、第１接続管３１１が支柱１１に対して回動し、主支持管３１が支柱１１を中心として回動すると、図３に示すように、副支持棒３２の上端に取り付けられた補助枠３３は左右に揺動することになる。
また、補助枠３３の両端部には、使用者の手を支える先端枠３３１がそれぞれ嵌合される。先端枠３３１は、略Ｌ字状に屈曲しており、その基端部に長孔３３１１が周方向に沿って形成される。
さらに、補助枠３３の対応する位置には、ネジ穴３３２が形成され、先端枠３３１の長孔３３１１へ摺動自在に挿通したネジ４１の先端部を、補助枠３３のネジ穴３３２へ螺合することにより、先端枠３３１を補助枠３３に取り付けてある。このため、ネジ４１を緩めてあれば、先端枠３３１は、図４に示すように、長孔３３１１が許容する角度で補助枠３３に対して回動し、先端枠３３１の先端部が向きを変える。
【０００９】
補助枠３３の中央部には、副支持棒３２の両側に配置される一対の接合片３３３が設けられる。接合片３３３は、上端の幅よりも下端の幅が広い台形状であり、その上部はピンによって副支持棒３２に枢支されている。
また、接合片３３３の下部には、二つ以上の固定用孔３３３１が前後にやや間隔をおいて形成される。そして、いずれかの固定用孔３３３１を選択し、選択した固定用孔３３３１及び副支持棒３２へ角度固定ピン４２を挿通することにより、補助枠３３の水平面に対する傾斜角度を任意に調節することができる。
【００１０】
使用者は、座部２０に腰掛けて両手をそれぞれ左右の先端枠３３１に載せ、腰部を捻ることによって、揺動装置３０を左右に揺動させ、これにより、使用者の下半身と上半身とが逆方向に捻られて回動運動が行われる。
また、固定ネジ３６を締めて第１接続管３１１の支柱１１に対する回動を規制すれば、揺動装置３０は揺動できなくなる。このように揺動装置３０を固定しておいて、使用者は回転運動器につかまり、柔軟運動等のウォームアップを行うことができる。
【００１１】
なお、補助枠３３を取り外し、図５に示すように、副支持棒３２の上端から左右に張り出し、さらに垂直に起立する直立式補助枠３５を取り付ければ、立った状態で揺動運動を行う際に便利である。
また、計数装置５０を揺動装置３０に装着しても良い。計数装置５０は、揺動装置３０の揺動回数或いは揺動運動を行っている時間を計測して表示する。この計数装置５０は、補助枠３３又は直立式補助枠３５の中央部に着脱可能に嵌合され、補助枠３３又は直立式補助枠３５の周方向に回動させることにより、設置角度を変えることが出来る。
【００１２】
【考案の効果】
本考案によれば、補助枠に手を載せて腰部を捻ることにより、使用者の下半身と上半身とに相対的な逆回転運動を与えるので、脊椎及び背中全体に捻りが加えられて、脊椎上に位置する神経及び経穴を有効に刺激することができ、特に、下半身の活動が不自由な人のリハビリテーションに用いると、効果が倍増する。
【図面の簡単な説明】
【図１】本考案の実施形態を示す回転運動器の斜視図。
【図２】同上の分解斜視図。
【図３】同上の第１の使用態様を示す斜視図。
【図４】同上の第２の使用態様を示す斜視図。
【図５】同上の第３の使用態様を示す斜視図。
【符号の説明】
１０　台座
１１　支柱
１２　ローラ
２０　座部
３０　揺動装置
３１　主支持管
３１１　第１接続管
３１２　第２接続管
３２　副支持棒
３３　補助枠
３３１　先端枠
３３１１　長孔
３３２　ネジ穴
３３３　接合片
３３３１　固定用孔
３４　軸受体
３５　直立式補助枠
３６　固定ネジ
４１　ネジ
４２　角度固定ピン
５０　計数装置
【図１】
0003098514.tif 000003
【図２】
0003098514.tif 000004
【図３】
0003098514.tif 000005
【図４】
0003098514.tif 000006
【図５】
0003098514.tif 000007